(57)【要約】【課題】  静止型流体混合器を使用することにより、装置コストが低く、かつ気液接触効率が高い空気清浄化装置を提供する。【解決手段】  循環ポンプ５を駆動して、水槽１から清浄化液２を送水管６を通じて下位側シャワーヘッド９ａおよび上位側シャワーヘッド９ｂに向けて圧送し、清浄化液２をミキサーパイプ３内に噴射する。次に、ブロワー１０を駆動すると、被清浄化空気がミキサーパイプ３内に吸引され、ミキサーパイプ３を下から上に通流する間に下位側ミキサーエレメント４ａおよび上位側ミキサーエレメント４ｂによって分割・転換・反転を繰り返し、噴射された清浄化液２と気液接触される。これにより、被清浄化空気中の有形無形の混入物質は、清浄化液２に取り込まれて殺菌・洗浄・除去・脱臭される。【選択図】        図１
2009219537.tif 000002
【特許請求の範囲】
【請求項１】
清浄化液が収容される水槽と、
前記水槽の上位に立設されたミキサーパイプと、
前記ミキサーパイプ内に配設され、旋回方向が交互に反転する螺旋状の羽根部を有するミキサーエレメントと、
前記ミキサーパイプ内に配置されたシャワーヘッドと、
前記ミキサーパイプの下端開口から被清浄化空気を吸引し、前記ミキサーパイプの上端開口より清浄化された空気を排出する送気手段と、
前記水槽から清浄化液を吸引し、前記シャワーヘッドから清浄化液を前記ミキサーパイプ内に噴射させる送水手段とを備え、
前記ミキサーパイプ内を前記ミキサーエレメントによって分割・転換・反転させられながら上昇する被清浄化空気と、前記シャワーヘッドから噴射されて前記ミキサーパイプ内を自重で落下する清浄化液とを気液接触させることを特徴とする空気清浄化装置。
【請求項２】
前記ミキサーエレメントが上位側ミキサーエレメントと下位側ミキサーエレメントとに分離され、前記上位側ミキサーエレメントと前記下位側ミキサーエレメントとの中間位置に下位側シャワーヘッドが、前記上位側ミキサーエレメントの上位位置に上位側シャワーヘッドが配置されている請求項１記載の空気清浄化装置。
【請求項３】
前記清浄化液が、次亜塩素酸ソーダ水である請求項１または２記載の空気清浄化装置。
【発明の詳細な説明】
【技術分野】
【０００１】
本発明は、空気清浄化装置に関し、より詳しくは病院，医院等の医療機関における待合室，診察室，手術室等の浮遊・付着雑菌類の殺菌・洗浄・除去・脱臭対策等のための空気清浄化装置に関する。
【背景技術】
【０００２】
病院，医院等の医療機関における待合室，診察室，手術室等の空気中には、細菌，ウイルス，カビ等の雑菌類が多数浮遊している。また、待合室，診察室，手術室等の壁，机，椅子，手すり等の備品には、細菌，ウイルス，カビ等の雑菌類が多数付着している。このため、医療機関では、院内感染を防止するために、浮遊・付着雑菌類の殺菌対策が必要不可欠であった。近年は、ＭＲＳＡ（Methicillin-Resistant Staphylococcus Aureus），多剤耐性緑膿菌等の耐性菌，ＳＡＲＳ（Severe Acute Respiratory Syndrome）ウイルス，新型インフルエンザウイルスの等の強力な感染力を有する雑菌類も多く、医療機関では、確実な浮遊・付着雑菌類の殺菌対策が望まれている。特に、子供やお年寄りは雑菌類に対する免疫力が弱く、症状によっては重大な事態になりかねないので、子供やお年寄りの患者の多い医療機関では、浮遊・付着雑菌類の殺菌対策は急務であった。
【０００３】
また、病院，医院等の医療機関における待合室，診察室，手術室等の空気中には、有形無形の混入物質、例えば塵埃，タバコの煙，各種大気汚染物質等の不所望の極小微粒子や、接着剤・塗料等の化学物質からの有機揮発ガス（シックハウス症候群で問題になるホルムアルデヒド等），人体や各種製品等からの臭気等を含む各種ガス類のような不所望の気体が含まれている。このため、医療機関では、極小微粒子や各種ガス類等の洗浄・除去・脱臭対策も必要であった。
【０００４】
空気清浄化を行うための先行技術としては、イオン，オゾン等の殺菌作用や光触媒作用を利用する空気清浄化装置（例えば、特許文献１，特許文献２等参照）や、さらには高性能フィルターを使用する空気清浄化装置（例えば、特許文献３等参照）等の様々なものが提案されている。しかし、これらの適用環境は様々であり、あるものは局部的な効果に止まり、他方では効果が不十分であるもの、優れた効果を発揮するものの保守が難しいもの等の問題点を有するものが多く、広い範囲で有効に機能する空気清浄化装置を提供することは難しかった。
【０００５】
病院，医院等の医療機関においては、一般住宅やオフィスにおいて必要とされる空気清浄化のレベルに比して、より高いレベルの空気清浄化が要求されるので、従来のこの種の空気清浄化装置において使用されている紫外線，イオン，オゾン，光触媒物質等の作用では十分な殺菌・洗浄・除去・脱臭効果を得ることができない。このため、より強力な殺菌・洗浄・除去・脱臭効果に優れる二酸化塩素（ＣｌＯ２）を使用する空気清浄化装置が提案されている。例えば、特許文献４には、気液接触部にノズルを設け、通過空気中の有形無形の混入物質を除去する空気清浄化装置において、二酸化塩素水溶液をノズルから噴射して殺菌・洗浄・除去・脱臭効果を高めるようにした空気清浄化装置が開示されている。特許文献５には、さらに、紫外線照射手段を設け、ノズルから噴射した二酸化塩素水溶液中の二酸化塩素成分を活性化するようにした空気清浄化装置が開示されている。
【０００６】
一方、特許文献６には、二酸化塩素よりも毒性が低い次亜塩素酸を含む電解水を生成して使用する空気清浄化装置が開示されている。
【特許文献１】特開平０５−２８５４２０号公報
【特許文献２】特開平１１−０５７３６８号公報
【特許文献３】特開２０００−０００４１７号公報
【特許文献４】特開２００５−１１０７０３号公報
【特許文献５】特開２００７−０６８６１２号公報
【特許文献６】特開２００５−３０５１００号公報
【発明の開示】
【発明が解決しようとする課題】
【０００７】
しかしながら、上述した二酸化塩素や次亜塩素酸を使用する従来の空気清浄化装置は、単に流動する被清浄化空気に、清浄化液をシャワーとして噴射したり、泡ミストとして供給したりしていただけであったので、被清浄化空気と清浄化液との気液接触が十分でなく、期待していたほどの殺菌・洗浄・除去・脱臭効果が得られないという問題点があった。
【０００８】
ところで、被清浄化空気と清浄化液との十分な気液接触が行われるようにするためには、流動する被清浄化空気を攪拌しながら清浄化液をシャワーとして噴射することが考えられるが、一般に流動する被清浄化空気を攪拌するためには攪拌用モーター等の動力源を必要とし、装置コストが高くなるという問題点があった。
【０００９】
本発明の目的は、上述の点に鑑み、静止型流体混合器を使用することにより、装置コストが低く、かつ気液接触効率が高い空気清浄化装置を提供することにある。
【課題を解決するための手段】
【００１０】
請求項１に記載の空気清浄化装置は、清浄化液が収容される水槽と、前記水槽の上位に立設されたミキサーパイプと、前記ミキサーパイプ内に配設され、旋回方向が交互に反転する螺旋状の羽根を有するミキサーエレメントと、前記ミキサーパイプ内に配置されたシャワーヘッドと、前記ミキサーパイプの下端開口から被清浄化空気を吸引し、前記ミキサーパイプの上端開口より清浄化された空気を排出する送気手段と、前記水槽から清浄化液を吸引し、前記シャワーヘッドから清浄化液を前記ミキサーパイプ内に噴射させる送水手段とを備え、前記ミキサーパイプ内を分割・転換・反転しながら上昇する被清浄化空気と、前記シャワーヘッドから噴射されて前記ミキサーパイプ内を自重で落下する清浄化液とを気液接触させることを特徴とする。請求項１に記載の空気清浄化装置によれば、駆動源を使用しない静止型のミキサーエレメントにより被清浄化空気を分割・転換・反転するようにしたので、装置コストが低く、かつ気液接触効率が高い空気清浄化装置を実現することができる。
【００１１】
請求項２に記載の空気清浄化装置は、請求項１記載の空気清浄化装置において、前記ミキサーエレメントが上位側ミキサーエレメントと下位側ミキサーエレメントとに分離され、前記上位側ミキサーエレメントと前記下位側ミキサーエレメントとの中間位置に下位側シャワーヘッドが、前記上位側ミキサーエレメントの上位位置に上位側シャワーヘッドが配置されていることを特徴とする。請求項２に記載の空気清浄化装置によれば、ミキサーエレメントおよびシャワーヘッドを上位側と下位側とに分離することにより、被清浄化空気と清浄化液との気液接触効率をより一層向上させることができる。
【００１２】
請求項３に記載の空気清浄化装置は、請求項１または２記載の空気清浄化装置において、前記清浄化液が、次亜塩素酸ソーダ水であることを特徴とする。請求項３に記載の空気清浄化装置によれば、清浄化液が次亜塩素酸ソーダ水であるので、病院，医院等の医療機関での使用に十分に耐え得る殺菌・洗浄・除去・脱臭効果が得られるとともに、有効殺菌成分である次亜塩素酸の濃度等の制御を容易に行うことができる。
【発明を実施するための最良の形態】
【００１３】
静止型流体混合器を使用することにより、装置コストが低く、かつ気液接触効率が高い空気清浄化装置を提供するという目的を達成した。
【００１４】
以下、本発明の実施の形態に係る空気清浄化装置について図面を参照しながら説明する。
【実施例１】
【００１５】
図１は、本発明の実施例１に係る空気清浄化装置の内部構成を示す概略断面図である。本実施例１に係る空気清浄化装置は、水槽１と、水槽１内に収容された清浄化液２と、水槽１に起立されるように配設されたミキサーパイプ３と、ミキサーパイプ３の下半部内に配置された下位側ミキサーエレメント４ａと、ミキサーパイプ３の上半部内に配置された上位側ミキサーエレメント４ｂと、水槽１から清浄化液２を吸引する循環ポンプ５（本発明の送水手段に相当）と、循環ポンプ５に連結されミキサーパイプ３に並行するように立設された送水管６と、送水管６の中程に取り付けられたＴ字形管継手７と、送水管６の上端に取り付けられたＬ字形管継手８と、Ｔ字形管継手７に連結されミキサーパイプ３内の中程に延び出した下位側シャワーヘッド９ａと、Ｌ字形管継手８に連結されミキサーパイプ３内の上位位置に延び出した上位側シャワーヘッド９ｂと、ミキサーパイプ３の上端開口に取り付けられたブロワー１０（本発明の送気手段に相当）と、ブロワー１０から延出されたＬ字形通風管１１と、Ｌ字形通風管１１の先端開口に取り付けられたフィルター１２とから、その主要部が構成されている。
【００１６】
水槽１は、耐食性の金属または合成樹脂で液漏れしないように形成された箱体状でなり、給水バルブ１ａ，排水バルブ１ｂ，空気取入孔１ｃ，連通孔１ｄおよび送水孔１ｅが設けられている。給水バルブ１ａは水槽１の側壁の上位位置に取り付けられ、排水バルブ１ｂは水槽１の側壁の下位位置に取り付けられている。空気取入孔１ｃは、水槽１の上面壁に穿設され、ゴミ等の混入を防ぐためのスリーブが突設されている。連通孔１ｄは、水槽１の上面壁に穿設され、ミキサーパイプ３に連通されている。送水孔１ｅは、水槽１の側壁の下位位置に取り付けられ、循環ポンプ５に連通されている。
【００１７】
清浄化液２は、本実施例１では、次亜塩素酸ソーダ（ＮａＣｌＯ）を水（Ｈ２Ｏ）と反応してできる、次亜塩素酸（ＨＯＣｌ）を大量に含んだ次亜塩素酸ソーダ水であるものとする。次亜塩素酸および次亜塩素酸の塩類は、酸化剤，漂白剤，外用殺菌剤，消毒剤として広く利用されている。次亜塩素酸は、人体の殺菌成分と同じものであるので、この含有量が多ければ多いほど殺菌力は増すことになる。清浄化液２は、次亜塩素酸ソーダのｐＨを調整することによって、次亜塩素酸ソーダに含有されている殺菌成分である次亜塩素酸を大量に生成して、それを使うようにしている。詳しくは、次亜塩素酸ソーダは、食品衛生，環境衛生等のさまざまな場面で殺菌剤として広く使われているが、食品等人体に直接影響する場合は、濃度１２％程度の原液を２００ｐｐｍに薄めて使用するように、との指導が厚生労働省よりなされている。しかし、次亜塩素酸ソーダは、２００ｐｐｍに薄めると、ｐＨは８．２〜８．８位のアルカリ性になり、このｐＨの範囲であると、有効殺菌成分の次亜塩素酸の存在比は１０数％しかない。これを、ｐＨ７．０以下の弱酸性にすると、存在比は７０〜１００％へと飛躍的に高まり、殺菌力が強化される。ｐＨ８．２〜８．８の次亜塩素酸ソーダでも、水で薄めてｐＨ７に近づけることはできる（水は通常ｐＨ７であるから、大量に水を加えれば限りなく水と同じｐＨに近づく）。しかし、このやり方は、濃度が薄くなりすぎて殺菌力が弱くなり、実用には向かない。清浄化液２では、濃度８．５％程度という低濃度の希塩酸を、極微量に次亜塩素酸ソーダに混合しｐＨ６．０〜７．３にすることにより、有効殺菌成分である次亜塩素酸を大量に含んだものを生成するようにしている。このようにして生成した清浄化液２は、原液である次亜塩素酸ソーダの約８倍の殺菌力がある。なお、清浄化液２は、ｐＨ５位にすると、より一層殺菌力は高まる。しかし、ｐＨを低く（すなわち酸性度を高く）しすぎると、有害な塩素ガス（Ｃｌ２）が発生しやすくなる。そのため、清浄化液２では、通常はｐＨ５以上の塩素ガスが発生しない弱酸性の状態で使用することが望ましい。なお、次亜塩素酸は不安定な物質であって水溶液中で徐々に分解するため、また取り込まれた有形無形の混入物質、例えば浮遊雑菌類，塵埃，タバコの煙，各種ガス類，その他大気汚染物質等で次第に汚染するので、水槽１中の清浄化液２は、３ヶ月に１回程度は交換することが望ましい。
【００１８】
ミキサーパイプ３は、耐食性の金属または合成樹脂で形成された管体であり、下端開口は水槽１の連通孔１ｄに連結されている。ミキサーパイプ３は、下位側シャワーヘッド９ａおよび上位側シャワーヘッド９ｂから噴射されてミキサーパイプ３内を自重で落下する清浄化液２と、下位側ミキサーエレメント４ａおよび上位側ミキサーエレメント４ｂにより分割・転換・反転しながら下方から上方に通流する被清浄化空気とを混合して気液接触させる役目をする。ミキサーパイプ３内において、被清浄化空気中に含まれる有形無形の混入物質、例えば浮遊雑菌類，塵埃，タバコの煙，各種ガス類，その他大気汚染物質等が清浄化液２中に取り込まれて、殺菌・洗浄・除去・脱臭される。ミキサーパイプ３を伝って自重で落下する清浄化液２の水滴は、水槽１内に回収される。
【００１９】
図２は、１８０°回転型のミキサーエレメント４ａ，４ｂを示す正面図である。このミキサーエレメント４ａ，４ｂは、図３に示すように、複数（図示は４つ）の長板部４１を長手方向に幅細部４２で順次連結したベルト状部材を捻り加工することにより製造される。詳しくは、最上位の長板部４１の下辺を固定して上辺が反時計方向（下方から上方を見て。以下同様）に１８０°捻られて反時計方向に螺旋状に旋回する左旋回羽根部４３とされ、２番目の長板部４１の上辺が時計方向（下方から上方を見て。以下同様）に９０°捻られるとともに下辺が反時計方向に９０°捻られて時計方向に螺旋状に旋回する右旋回羽根部４４とされ、３番目の長板部４１が上辺を固定して下辺が時計方向に１８０°捻られて時計方向に螺旋状に旋回する左旋回羽根部４３とされ、最下位の長板部４１の上辺が時計方向に９０°捻られるとともに下辺が反時計方向に９０°捻られて時計方向に螺旋状に旋回する右旋回羽根部４４とされている。なお、左旋回羽根部４３および右旋回羽根部４４の直径（幅）は、ミキサーパイプ３の内径とほぼ同じ長さに設定されており、左旋回羽根部４３および右旋回羽根部４４の軸方向の長さは、それらの直径の約１．５倍に設定されている。なお、ミキサーエレメント４ａ，４ｂの製造方法の詳細については、米国特許Ｎｏ．５，３１２，１８５および日本特許３３３９６９２を参照することができる。
【００２０】
下位側ミキサーエレメント４ａは、図１に示すように、ミキサーパイプ３内の下半部に軸方向が一致するように嵌入されて固定配置され、上位側ミキサーエレメント４ｂは、ミキサーパイプ３内の上半部に軸方向が一致するように嵌入されて固定配置されている。ミキサーパイプ３と、下位側ミキサーエレメント４ａおよび上位側ミキサーエレメント４ｂとから、静止型流体混合器３０が構成されている。ミキサーパイプ３内を通流する流体である被清浄化空気および清浄化液２は、下位側ミキサーエレメント４ａおよび上位側ミキサーエレメント４ｂによって分割作用・転換作用・反転作用を受けることになる。ここで、分割作用とは、流体が左旋回羽根部４３または右旋回羽根部４４を通過するごとに２分割されることをいう。転換作用とは、流体が左旋回羽根部４３または右旋回羽根部４４の旋回面に沿ってミキサーパイプ３の中央部から壁部へ、壁部から中央部へと並び換えられることをいう。反転作用とは、流体が左旋回羽根部４３または右旋回羽根部４４ごとに旋回方向を換え、急激な慣性力の反転を受けて乱流攪拌されることをいう。なお、左旋回羽根部４３および右旋回羽根部４４の直径（幅）は、ミキサーパイプ３の内径とほぼ同じ長さに設定されており、左旋回羽根部４３および右旋回羽根部４４の軸方向の長さは、それらの直径の約１．５倍に設定されている。
【００２１】
循環ポンプ５は、水槽１から送水孔１ｅを通じて清浄化液２を吸引し、清浄化液２を送水管６に圧送して、下位側シャワーヘッド９ａおよび上位側シャワーヘッド９ｂからミキサーパイプ３内に噴射させる。
【００２２】
下位側シャワーヘッド９ａは、基端がＴ字形管継手７に連結され、先端がミキサーパイプ３の周壁を貫通して下位側ミキサーエレメント４ａと上位側ミキサーエレメント４ｂとの間の中間位置に延出されている。下位側シャワーヘッド９ａは、格子状または列状に配設されたノズル群（図示せず）を有する。
【００２３】
上位側シャワーヘッド９ｂは、基端がＬ字形管継手８に連結され、先端がミキサーパイプ３の周壁を貫通して上位側ミキサーエレメント４ｂの上位位置に延出されている。上位側シャワーヘッド９ｂは、格子状または列状に配設されたノズル群（図示せず）を有する。
【００２４】
ブロワー１０は、ミキサーパイプ３の上端開口に気密的に取り付けられ、ミキサーパイプ３の下端開口から被清浄化空気を吸引し、Ｌ字形通風管１１の先端開口からフィルター１２を通じて清浄化された空気を排出する。なお、本実施例１では、ブロワー１０をミキサーパイプ３の上端開口側に配設しているが、空気清浄化装置によってはブロワー１０をミキサーパイプ３の下端開口側に配設してもよし、ミキサーパイプ３の任意の位置に配設してもよい。
【００２５】
図１には示していないが、本実施例１に係る空気清浄化装置は、図４に示すように、筐体１００内に収納し、かつ筐体１００に複数のキャスター１０１を取り付けて移動可能に設置するようにするにしてもよい。
【００２６】
次に、このように構成された本実施例１に係る空気清浄化装置の動作について説明する。
【００２７】
空気清浄化装置の使用にあたり、水槽１には給水バルブ１ａから予め所定量の水を供給し、また、濃度８．５％程度という低濃度の希塩酸を極微量に次亜塩素酸ソーダに混合しｐＨ６．０〜７．３にすることにより、有効殺菌成分である次亜塩素酸を大量に含んだ清浄化液２を生成する。
【００２８】
次に、循環ポンプ５を駆動して、水槽１から送水孔１ｅを通じて清浄化液２を吸引し、送水管６を通じて下位側シャワーヘッド９ａおよび上位側シャワーヘッド９ｂに向けて圧送する。圧送された清浄化液２を受けた下位側シャワーヘッド９ａおよび上位側シャワーヘッド９ｂは、格子状または列状に配設されたノズル群から清浄化液２を噴射し、噴射面から全周に拡散する水膜を形成する。
【００２９】
続いて、清浄化液２の水膜が形成された状態でブロワー１０を駆動する。すると、被清浄化空気が空気取入孔１ｃから水槽１内に吸引され、水槽１内からさらに連通孔１ｄを通じてミキサーパイプ３内に吸引される。被清浄化空気は、ミキサーパイプ３を通流する間に下位側ミキサーエレメント４ａおよび上位側ミキサーエレメント４ｂによって分割・転換・反転を繰り返し、周辺に形成されている清浄化液２の水膜を拡散しながら上方に移動する。詳しくは、ミキサーパイプ３内に下方から通流した被清浄化空気は、まず、下位側ミキサーエレメント４ａの最下位の右旋回羽根部４４で時計方向に分割・転換・反転され、３番目の左旋回羽根部４３で反時計方向に分割・転換・反転され、２番目の右旋回羽根部４４で時計方向に分割・転換・反転され、最上位の左旋回羽根部４３で反時計方向に分割・転換・反転される。このように分割・転換・反転が繰り返される間に被清浄化空気は、清浄化液２と気液接触され、この間、下位側ミキサーエレメント４ａを通過する被清浄化空気中の有形無形の混入物質、例えば浮遊雑菌類，塵埃，タバコの煙，各種ガス類，その他大気汚染物質等は、下位側シャワーヘッド９ａおよび上位側シャワーヘッド９ｂから噴射された清浄化液２の水膜中に取り込まれて殺菌・洗浄・除去・脱臭される。
【００３０】
次に、下位側ミキサーエレメント４ａを通流した被清浄化空気は、上位側ミキサーエレメント４ｂの最下位の右旋回羽根部４４で時計方向に分割・転換・反転され、３番目の左旋回羽根部４３で反時計方向に分割・転換・反転され、２番目の右旋回羽根部４４で時計方向に分割・転換・反転され、最上位の左旋回羽根部４３で反時計方向に分割・転換・反転される。このように分割・転換・反転が繰り返される間に被清浄化空気は、清浄化液２と気液接触され、この間、上位側ミキサーエレメント４ｂを通過する被清浄化空気中の有形無形の混入物質、例えば、浮遊雑菌類，塵埃，タバコの煙，各種ガス類，その他大気汚染物質等は、上位側シャワーヘッド９ｂから噴射された清浄化液２の水膜中に取り込まれて殺菌・洗浄・除去・脱臭される。
【００３１】
一方、上位側シャワーヘッド９ｂから噴射され上位側ミキサーエレメント４ｂに流れ込んだ清浄化液２は、上位側ミキサーエレメント４ｂの左旋回羽根部４３および右旋回羽根部４４に沿って分割・転換・反転されながら自重で落下する間に、被清浄化空気と気液接触して被清浄化空気中の有形無形の混入物質、例えば、浮遊雑菌類，塵埃，タバコの煙，各種ガス類，その他大気汚染物質等を取り込み、さらに下位側シャワーヘッド９ａから噴射された清浄化液２とともに、下位側ミキサーエレメント４ａに流れ込む。
【００３２】
次に、上位側シャワーヘッド９ｂおよび下位側シャワーヘッド９ａから噴射され下位側ミキサーエレメント４ａに流れ込んだ清浄化液２は、下位側ミキサーエレメント４ａの左旋回羽根部４３および右旋回羽根部４４に沿って分割・転換・反転されながら自重で落下する間に、被清浄化空気と気液接触して被清浄化空気中の有形無形の混入物質、例えば浮遊雑菌類，塵埃，タバコの煙，各種ガス類，その他大気汚染物質等を取り込み、連通孔１ｄを通じて水槽１内に回収される。
【００３３】
このように、清浄化液２は、その大部分が水滴となってミキサーパイプ３から水槽１内に回収されるが、その一部は清浄化された空気に含まれたままフィルター１２から空気清浄化装置が設置されている、医療機関の待合室，診察室，手術室等の装置設置箇所の空間に放出される。その結果、空気清浄化装置を通流して清浄化された空気はもとより、清浄化された空気中に残留する清浄化液２あるいは次亜塩素酸成分によって装置設置箇所の空間の空気も清浄化され、さらに殺菌・洗浄・除去・脱臭効果が持続する。加えて、医療機関の待合室，診察室，手術室等の壁，机，椅子，手すり等の備品に清浄化された空気中に残留する清浄化液２あるいは次亜塩素酸成分が付着することにより、これらに付着した細菌，ウイルス，カビ等の雑菌類も殺菌されることになる。
【００３４】
また、上位側シャワーヘッド９ｂおよび下位側シャワーヘッド９ａから噴射された清浄化液２が水膜となる際、さらには清浄化液２がミキサーパイプ３や下位側ミキサーエレメント４ａおよび上位側ミキサーエレメント４ｂとの衝突等により極微細水滴に分裂する際には、マイナスイオンが発生され、かかるマイナスイオンは清浄化された空気に混じった状態でフィルター１２を通して医療機関の待合室，診察室，手術室等の装置設置箇所の空間に放出される。これにより、マイナスイオンによる殺菌・洗浄・除去・脱臭効果も得られる。
【００３５】
本実施例１に係る空気清浄化装置によれば、ミキサーパイプ３内を下位側ミキサーエレメント４ａおよび上位側ミキサーエレメント４ｂにより分割・転換・反転しながら上昇する被清浄化空気と、下位側シャワーヘッド９ａおよび上位側シャワーヘッド９ｂによって噴射されてミキサーパイプ３内を自重で落下する清浄化液２とを気液接触させることにより、装置コストが低く、かつ気液接触効率が高い空気清浄化装置を実現することができる。
【００３６】
以上、本発明の実施例１を説明したが、これはあくまでも例示にすぎず、本発明はこれに限定されるものではなく、特許請求の範囲の趣旨を逸脱しない限りにおいて、当業者の知識に基づく種々の変更が可能である。
【００３７】
例えば、上記実施例１では、ミキサーエレメントを下位側ミキサーエレメント４ａおよび上位側ミキサーエレメント４ｂの２段にし、かつシャワーヘッドを下位側シャワーヘッド９ａおよび上位側シャワーヘッド９ｂの２段にしたが、ミキサーエレメントを１段または３段以上にするようにしてもよいし、シャワーヘッドを１段または３段以上にするようにしてもよい。
【００３８】
また、上記実施例１では、下位側ミキサーエレメント４ａおよび上位側ミキサーエレメント４ｂを１８０°回転型のミキサーエレメントとしたが、９０°等の他の回転型のミキサーエレメントとすることができる。
【００３９】
さらに、上記実施例１では、清浄化液２を次亜塩素酸ソーダ水としたが、二酸化塩素水溶液等に他の殺菌性を有する水溶液とするようにしてもよい。
【００４０】
さらにまた、上記実施例１では、空気清浄化装置を病院，医院等の医療機関に設置するように説明したが、本発明の空気清浄化装置は、医療機関ばかりでなく、ホテル，レストラン，飲食店，電車，航空機等の客室，ロッカールーム，倉庫，生ゴミ置き場，トイレ等に設置するようにしてもよい。このようにしても、医療機関に設置した場合と同様の作用および効果が得られることはいうまでもない。
【図面の簡単な説明】
【００４１】
【図１】本発明の実施例１に係る空気清浄化装置の構成を示す概略断面図。
【図２】１８０°回転型のミキサーエレメントを示す正面図。
【図３】図２のミキサーエレメントを製造するベルト状部材を示す正面図。
【図４】本実施例１に係る空気清浄化装置を筐体に収納して示す外観斜視図。
【符号の説明】
【００４２】
１  水槽
１ａ  給水バルブ
１ｂ  排水バルブ
１ｃ  空気取入孔
１ｄ  連通孔
１ｅ  送水孔
２  清浄化液
３  ミキサーパイプ
４ａ  下位側ミキサーエレメント
４ｂ  上位側ミキサーエレメント
５  循環ポンプ（送水手段）
６  送水管
７  Ｔ字形管継手
８  Ｌ字形管継手
９ａ  下位側シャワーヘッド
９ｂ  上位側シャワーヘッド
１０  ブロワー（送気手段）
１１  Ｌ字形通風管
１２  フィルター
３０  静止型流体混合器
４１  長板部
４２  幅細部
４３  左旋回羽根部
４４  右旋回羽根部
【図１】
2009219537.tif 000003
【図２】
2009219537.tif 000004
【図３】
2009219537.tif 000005
【図４】
2009219537.tif 000006